(57)【要約】【課題】本考案は、使用を更に便利にし、異なる形態の転写効果を備えて、その付加価値を高め、環境保護の目的を果たすことを特徴とするトランスファーシールを提案する。【解決手段】一種のトランスファーシールは、一つの離形紙、一つの透明状の底紙、及び異なる形態の立体図案によって構成された第一シール及び第二シールを含み、その内の該立体図案を底紙と離形紙の間に配置する。その内の該第一シールの立体図案は、くり貫き部分を有する第一立体図案であり、該第二シールの立体図案は第一立体図案のくり貫き部分に基づき配列した別の異なる形態の第二立体図案であり、これによりトランスファーシールを構成する。使用する場合は、離形紙を剥離し、更に底紙を物品や紙に貼り、軽く押すと立体図案が物品または紙に転写され、且つ、第一立体図案と第二立体図案の配列により、構成の異なる転写効果が得られ、立体図案を製作する場合は、同一紙の空間を十分に利用している為、環境保護と資源節約の目的を達成することができる。【選択図】図３
0003140531.tif 000002
【実用新案登録請求の範囲】
【請求項１】
トランスファーシールは、一つの離形紙、一つの透明状の底紙、及び異なる形態の立体図案によって構成された第一シール及び第二シールを含み、その内の該立体図案を底紙と離形紙の間に配置しており、
該第一シールの立体図案は、くり貫き部分を有する第一立体図案であり、該第二シールの立体図案は第一立体図案のくり貫き部分に基づき配列した別の異なる形態の第二立体図案であり、使用する場合は、第一立体図案と第二立体図案の配列により、構成の異なる転写効果が得られ、また、第一立体図案のくり貫き部分に別の異なる形態の第二立体図案を配列することにより、紙の空間を十分に利用でき、環境保護と資源節約の目的を達成することを特徴とするトランスファーシール。
【考案の詳細な説明】
【技術分野】
【０００１】
本考案は一種のトランスファーシールに関するものであり、特に、便利に使用でき、且つ異なる形態の転写効果を持ち、その付加価値を高めることができるトランスファーシールである。
【背景技術】
【０００２】
一般の立体シールの製作方法は、通常図１に示す通りであり、一つの離形紙１１上に一つの大きさが同じシール本体１２を貼り付けた後、適当なカットを施して細長い形状の立体シール１３を形成したものであり、使用する場合は、立体シール１３を離形紙１１から剥離して予め用意した物品または紙に貼る。該公知の立体シール１３の構造は、一定長さの部分を成し、比較的長い長さに貼り付ける場合は、多くの部分を相互に繋げる必要があり、不連続性で美観を損ない、使用においては非常に不便であり、且つ、その内のくり貫き部分に設けたその他図案は、別に持ち上げて剥離し、再度立体シール１３に配列連続しなければならず、図案の不完全性をもたらす。
【０００３】
また、図２に別の形式の立体シールを示す。該シールは、立体シール２１を一つの底紙２２に貼り付け、更にそれを一つの離形紙２３に貼り付け、使用する場合は底紙２２を離形紙２３から剥離した後、物品または紙に貼り、軽く圧して転写する。該立体シール２１はその内の立体シール２１が単一である故、そのくり貫き部分は利用されることがなく、余分な空間が紙全体の３分の２以上を占め、資源の浪費となり環境保護に符合せず、非常に理想的ではない。
【考案の開示】
【考案が解決しようとする課題】
【０００４】
本考案の主な目的は、一種のトランスファーシールを提供することにあり、トランスファーシールの使用を更に便利に、異なる形態の転写効果を備え、その付加価値を高め、環境保護をも兼ねる目的を果たす。
【０００５】
前述のトランスファーシールは、一つの離形紙、一つの透明状の底紙、及び異なる形態の立体図案によって構成された第一シール及び第二シールを含み、該立体図案を底紙と離形紙の間に置く。その内の該第一シールの立体図案はくり貫き部分を有する第一立体図案であり、該第二シールの立体図案は第一立体図案のくり貫き部分に基づき配列した別の異なる形態の第二立体図案であり、これによりトランスファーシールを構成する。使用する場合は、離形紙を剥離し、更に底紙を物品や紙に貼り、軽く押すと立体図案は物品または紙に転写され、且つ、第一立体図案と第二立体図案の配列により、構成の異なる転写効果が得られ、立体図案を製作する場合は、同一紙の空間を十分に利用している為、環境保護と資源節約の目的を達成する。
【０００６】
前述したトランスファーシールの該第一立体図案と第二立体図案は、同一紙にカット構成しており、紙を貼り移動した後、該第一図案と第二図案が構成される。
【課題を解決するための手段】
【０００７】
請求項１の考案は、トランスファーシールは、一つの離形紙、一つの透明状の底紙、及び異なる形態の立体図案によって構成された第一シール及び第二シールを含み、その内の該立体図案を底紙と離形紙の間に配置しており、
該第一シールの立体図案は、くり貫き部分を有する第一立体図案であり、該第二シールの立体図案は第一立体図案のくり貫き部分に基づき配列した別の異なる形態の第二立体図案であり、使用する場合は、第一立体図案と第二立体図案の配列により、構成の異なる転写効果が得られ、また、第一立体図案のくり貫き部分に別の異なる形態の第二立体図案を配列することにより、紙の空間を十分に利用でき、環境保護と資源節約の目的を達成することを特徴とするトランスファーシール。
【考案の効果】
【０００８】
本考案のトランスファーシールは、使用を更に便利にし、異なる形態の転写効果を備えて、その付加価値を高め、環境保護の目的を果たすことを特徴とする。
【考案を実施するための最良の形態】
【０００９】
図５及び図６を組み合わせて図３及び図４を同時に参照すると、本考案は主に、一つの離形紙３、一つの透明上の底紙４、及び異なる形態の立体図案５により構成される第一シール１０及び第二シール２０を含む。その内の該立体図案５は、底紙４と離形紙３の間に配列配置される。
【００１０】
該第一シール１０の立体図案５には、くり貫き部分５１１を有する第一立体図案５１を設け、該第二シール２０の立体図案５は、第一立体図案５１のくり貫き部分５１１に基づき配列された別の異なる形態の第二立体図案５２である。
【００１１】
前述の構成要素の組み合わせにより、トランスファーシールを構成する。使用する場合は、離形紙３を底紙４から剥離し、更に該底紙４を物品または紙に貼り、軽く押すと立体図案５が物品または紙に転写される。また、該第一立体図案５１と第二立体図案５２の配列により異なる転写効果を構成することができ、第一立体図案５１のくり貫き部分５１１に別の異なる形態の第二立体図案５２を配列する故、紙の空間を十分に利用でき、更に環境保護及び資源節約の目的を達成することができる。
【００１２】
前述した本考案のトランスファーシールの該第一立体図案５１と第二立体図案５２は、同一紙においてカット構成しており、該紙を貼り移動した後、該第一立体図案５１と第二立体図案５２が構成される。
【００１３】
図５、図６を組み合わせた図７を参照すると、本考案を使用する場合、まず第一シール１０及び第二シール２０の離形紙３を底紙４から剥離し、更に該底紙４を物品または紙に貼り、軽く押すと立体図案５が物品または紙に転写され、第一立体図案５１のくり貫き部分５１１に別の異なる形態の第二立体図案５２を配列する故、繰り返し転写した後は完全な図案を構成する転写効果が得られ、非連続性または斜めに曲がる状態を作ることがなく、公知のシールのように繰り返し持ち上げて貼る必要がなく、使用において更に便利なものである。
【００１４】
図８及び図９を同時に参照して戴きたい。本考案の別の使用方法は、その内の第一シールの第一立体図案５１、及び第二シールの第二立体図案５２をそれぞれ異なる物品または紙に転写し、二種図案の異なる形態の転写効果を成すものである。
【００１５】
前述した通り、本考案は十分に空間を利用した立体図案を離形紙及び底紙に組み合わせて、トランスファーシールを構成したものであり、トランスファーシールの使用を更に便利にし、且つ、異なる形態の転写効果を持たせ、その付加価値を高め、且つ環境保護の目的を達成する一つの実用的な設計であり、新規性を持つ考案である。
【図面の簡単な説明】
【００１６】
【図１】公知の立体シールの立体図である。
【図２】公知の立体シールの立体図である。
【図３】本考案の第一シールの立体分解図である。
【図４】本考案の第二シールの立体分解図である。
【図５】本考案の第一シールの平面図である。
【図６】本考案の第二シールの平面図である。
【図７】本考案の転写実施例図である。
【図８】本考案の別の転写実施例図である。
【図９】本考案の別の転写実施例図である。
【符号の説明】
【００１７】
１１  離形紙
１２  シール本体
１３  立体シール
２１  立体シール
２２  底紙
２３  離形紙
３  離形紙
４  底紙
５  立体図案
５１  第一立体図案
５１１  くり貫き部分
５２  第二立体図案
１０  第一シール
２０  第二シール
【図１】
0003140531.tif 000003
【図２】
0003140531.tif 000004
【図３】
0003140531.tif 000005
【図４】
0003140531.tif 000006
【図５】
0003140531.tif 000007
【図６】
0003140531.tif 000008
【図７】
0003140531.tif 000009
【図８】
0003140531.tif 000010
【図９】
0003140531.tif 000011